(57)【要約】      （修正有）【課題】各式サンダル、ビーチサンダル、スリッパ又は一般の靴に使用し、熱エネルギーを消費し、減量を達成する機能を有する靴パッドを提供する。【解決手段】各式サンダル、ビーチサンダル、スリッパ又は一般の靴に使用し、上靴パッド１上方又は下方に軟質基材３を設け、それを下靴パッド２の結合時に該靴の着用者に非平衡感を持たせ、身体のバランス機能を活動させ、エネルギー量消費を増加し、身体の減量の目的を達成する。上記軟質基材３は、シリコンゲル（ｓｉｌｉｃｏｎｅ）、熱可塑性弾性体（ＴＰＥ）、熱可塑性ゴム（ＴＰＲ）、ポリウレタン（ＴＰＵ）、熱可塑性樹脂（ＰＵ）、天然ゴム（ＮＲ）、合成ゴム（ＮＢＲ）、エチレン/酢酸ビニル共重合体（ＥＶＡ）材料から形成される。【選択図】図５
0003168479.tif 000002
【実用新案登録請求の範囲】
【請求項１】
各式サンダル、ビーチサンダル、スリッパ又は一般の靴に使用を提供し、その構造は、上靴パッド１上方又は下方に軟質基材３を設け、それを下靴パッド２の結合時に該靴の着用者に非平衡感を持たせ、身体のバランス機能を活動させ、エネルギー量消費を増加し、身体の減量の目的を達成する熱エネルギー消費パッド。
【請求項２】
前記軟質基材３は、シリコンゲル(Silicone)、熱可塑性弾性体(TPE)、熱可塑性ゴム(TPR)、ポリウレタン（TPU）、熱可塑性樹脂(PU)、天然ゴム(NR)、合成ゴム(NBR)、エチレン/酢酸ビニル共重合体（EVA）材料から形成される請求項１に記載の熱エネルギー消費靴パッド。
【請求項３】
前記軟質基材３を上靴パッド１の上方又は下方に設ける時、前軟質基材３１及び後軟質基材３２に設計することができる請求項１に記載の熱エネルギー消費靴パッド。
【請求項４】
前記軟質基材３を上靴パッド１の上方又は下方に設ける時、複数のブロック状の軟質基材３３に設計することができる請求項１に記載の熱エネルギー消費靴パッド。
【請求項５】
前記軟質基材３を上靴パッド１の上方又は下方に設ける時、複数のストリップ状の軟質基材３４に設計することができる請求項１に記載の熱エネルギー消費靴パッド。
【請求項６】
前記軟質基材３を上靴パッド１の上方又は下方に設ける時、複数の柱状の軟質基材３５に設計することができる請求項１に記載の熱エネルギー消費靴パッド。
【請求項７】
前記軟質基材３は、複数の交換可能な独立柱状軟質基材３６に設計し、上靴パッド１の下面上及び下靴パッド２の上面上に複数の凹溝１１，２１を設け、複数の独立柱状軟質基材３６を定位させることができる請求項１に記載の熱エネルギー消費靴パッド。
【考案の詳細な説明】
【技術分野】
【０００１】
本考案は、各式サンダル、ビーチサンダル、スリッパ又は一般の靴に使用を提供し、熱エネルギーを消耗し、重量軽減を達成する機能を具える靴パッドに関する。
【背景技術】
【０００２】
靴とは、毎日の接触時間が非常に長いので、着用者と密接な関係にあり、早期の一般的な人に着用させる各式靴は、美観目的以外、更に重要な機能として着用者の足部の保護を提供し、近頃では、業者が思考を凝らし、靴の機能において研究開発を行い、靴の美観及び保護以外の機能へ試み、従って、マッサージ、クッション及び矯正機能を有する靴が市場に出ている。
【０００３】
人々の生活の改善に伴い、各種飲食の充足は栄養過剰に至り、肥満予防及び減量が人類の新たな問題となっており、減食、食事療法は、一時しのぎの方法であり、根本的な解決方法は、可能な限り体内の余分なカロリーを消費し、身体のエネルギー量の吸収及び熱量消費間でバランスを保持し、心身の健康及び体つきの平均化を達成することである。
【先行技術文献】
【特許文献】
【０００４】
【特許文献１】登録実用新案第３１４８３１４号公報
【考案の概要】
【考案が解決しようとする課題】
【０００５】
調査によると、現在まで、人体のカロリー及びエネルギー量消費を増進する靴はなく、着用者に熱量消費を増進させ、肥満予防又は減量させることのできる靴があれば、必ず人類の健康に対し貢献する創作製品となり、考案者は、長時間の研究開発及び長年の靴製造の経験を合わせ、本熱エネルギー消費靴の考案を完成し、その構想は、主に上靴パッド又は上靴パッド及び下靴パッドの間に軟質材基材を設け、該靴を着用させ、身体のバランス機能を活動させ、エネルギー量の消費を増加し、身体の減量の目的を達成するものである。
【課題を解決するための手段】
【０００６】
市場のサンダル、ビーチサンダル、スリッパ又は一般の靴は、身体の重量を受け、足部と接触する部位が靴底部に属し、該靴底部は、通常、上靴パッド１及び下靴パッド２（靴底）から構成され、該足部を受ける上靴パッド１及び下靴パッド２は、柔軟又は硬度が適当な材質から形成され、且つその上靴パッド及び下靴パッドは、平衡状態を呈し、着用者に快適で身体のバランスを充足させる方式で着用させる。
【０００７】
上記柔軟又は硬度が適当な材質は、シリコンゲル(Silicone)、熱可塑性弾性体(TPE)、熱可塑性ゴム(TPR)、ポリウレタン（TPU）、熱可塑性樹脂(PU)、天然ゴム(NR)、合成ゴム(NBR)、エチレン/酢酸ビニル共重合体材料である。
本考案は、従来技術を突破し、非平衡方式で設計し、着用者が身体の各部位を活動させ、施力し、該非平衡に抵抗必須であるようにし、エネルギー量の消費を増加させ、身体の減量の目的を達成する。
【０００８】
本考案は下記の特徴を有する。
（１）各式サンダル、ビーチサンダル、スリッパ又は一般の靴に使用を提供し、その構造は、上靴パッド１上方又は下方に軟質基材３を設け、それを下靴パッド２の結合時に該靴の着用者に非平衡感を持たせ、身体のバランス機能を活動させ、エネルギー量消費を増加し、身体の減量の目的を達成する熱エネルギー消費パッド。
（２）前記軟質基材３は、シリコンゲル(Silicone)、熱可塑性弾性体(TPE)、熱可塑性ゴム(TPR)、ポリウレタン（TPU）、熱可塑性樹脂(PU)、天然ゴム(NR)、合成ゴム(NBR)、エチレン/酢酸ビニル共重合体（EVA）材料から形成される（１）に記載の熱エネルギー消費靴パッド。
（３）前記軟質基材３を上靴パッド１の上方又は下方に設ける時、前軟質基材３１及び後軟質基材３２に設計することができる（１）に記載の熱エネルギー消費靴パッド。
（４）前記軟質基材３を上靴パッド１の上方又は下方に設ける時、複数のブロック状の軟質基材３３に設計することができる（１）に記載の熱エネルギー消費靴パッド。
（５）前記軟質基材３を上靴パッド１の上方又は下方に設ける時、複数のストリップ状の軟質基材３４に設計することができる（１）に記載の熱エネルギー消費靴パッド。
（６）前記軟質基材３を上靴パッド１の上方又は下方に設ける時、複数の柱状の軟質基材３５に設計することができる（１）に記載の熱エネルギー消費靴パッド。
（７）前記軟質基材３は、複数の交換可能な独立柱状軟質基材３６に設計し、上靴パッド１の下面上及び下靴パッド２の上面上に複数の凹溝１１，２１を設け、複数の独立柱状軟質基材３６を定位させることができる（１）に記載の熱エネルギー消費靴パッド。
【考案の効果】
【０００９】
本考案の方法は、上靴パッド又は上靴パッド及び下靴パッドの間に軟質材基材を設け、該靴の着用時にバランスを欠乏させ、着用者が身体のバランス機能を活動させ、エネルギー量の消費を増加させ、身体の減量の目的を達成する。
【図面の簡単な説明】
【００１０】
【図１】本考案の熱エネルギー消耗靴パッドの平面図である。
【図２】本考案の軟質基材を上靴パッド上方に設けた断面図である。
【図３】本考案の軟質基材を上靴パッド上方に設け、下靴パッドと結合した断面図である。
【図４】本考案の軟質基材を上靴パッド下方に設けた断面図である。
【図５】本考案の軟質基材を上靴パッド下方に設け、下靴パッドと結合した断面図である。
【図６】本考案の熱エネルギー消耗靴パッドの他の実施例の平面図である。
【図７】本考案の軟質基材を上靴パッド上方に設けた断面図である。
【図８】本考案の軟質基材を上靴パッド上方に設け、下靴パッドと結合した断面図である。
【図９】本考案の軟質基材を上靴パッド下方に設けた断面図である。
【図１０】本考案の軟質基材を上靴パッド下方に設け、下靴パッドと結合した断面図である。
【図１１】本考案の熱エネルギー消耗靴パッドの他の実施例の平面図である。
【図１２】本考案の複数のブロック状軟質基材を上靴パッド上方に設けた断面図である。
【図１３】本考案の複数のブロック状軟質基材を上靴パッド上方に設け、下靴パッドと結合した断面図である。
【図１４】本考案の複数のブロック状軟質基材を上靴パッド下方に設けた断面図である。
【図１５】本考案の複数のブロック状軟質基材を上靴パッド下方に設け、下靴パッドと結合した断面図である。
【図１６】本考案の熱エネルギー消耗靴パッドの他の実施例の平面図である。
【図１７】本考案の複数のストリップ状軟質基材を上靴パッド上方に設けた断面図である。
【図１８】本考案の複数のストリップ状軟質基材を上靴パッド上方に設け、下靴パッドと結合した断面図である。
【図１９】本考案の複数のストリップ状軟質基材を上靴パッド下方に設けた断面図である。
【図２０】本考案の複数のストリップ状軟質基材を上靴パッド下方に設け、下靴パッドと結合した断面図である。
【図２１】本考案の熱エネルギー消耗靴パッドの他の実施例の平面図である。
【図２２】本考案の複数の柱状軟質基材を上靴パッド上方に設けた断面図である。
【図２３】本考案の複数の柱状軟質基材を上靴パッド上方に設け、下靴パッドと結合した断面図である。
【図２４】本考案の複数の柱状軟質基材を上靴パッド下方に設けた断面図である。
【図２５】本考案の複数の柱状軟質基材を上靴パッド下方に設け、下靴パッドと結合した断面図である。
【図２６】本考案の熱エネルギー消耗靴パッドの他の実施例の平面図である。
【図２７】本考案の複数の独立柱状軟質基材を上靴パッド及び下靴パッドの間に設けた分解断面図である。
【図２８】本考案の複数の独立柱状軟質基材を上靴パッド及び下靴パッドの間に設けた組み合わせ断面図である。
【考案を実施するための形態】
【００１１】
本考案の熱エネルギー消費パッドは、各式サンダル、ビーチサンダル、スリッパ又は一般の靴に使用を提供し、図１〜図５に示すように、その構造は、上靴パッド１上方又は下方に軟質基材３を設け、それを下靴パッド２の結合時に該靴の着用者に非平衡感を持たせ、身体のバランス機能を活動させ、エネルギー量消費を増加し、身体の減量の目的を達成する。
【００１２】
上記軟質基材３は、シリコンゲル(Silicone)、熱可塑性弾性体(TPE)、熱可塑性ゴム(TPR)、ポリウレタン（TPU）、熱可塑性樹脂(PU)、天然ゴム(NR)、合成ゴム(NBR)、エチレン/酢酸ビニル共重合体（EVA）材料から形成される。
【００１３】
図６〜図１０に示すように、本考案の熱エネルギー消費靴を実施時、上靴パッド１の上方又は下方に設ける軟質基材３は、前軟質基材３１及び後軟質基材３２に設計することができる。
【００１４】
図１１〜図１５に示すように、本考案の熱エネルギー消費靴を実施時、上靴パッド１の上方又は下方に設ける軟質基材３は、複数のブロック状の軟質基材３３に設計することができる。
【００１５】
図１６〜図２０に示すように、本考案の熱エネルギー消費靴を実施時、上靴パッド１の上方又は下方に設ける軟質基材３は、複数のストリップ状の軟質基材３４に設計することができる。
【００１６】
図２１〜図２５に示すように、本考案の熱エネルギー消費靴を実施時、上靴パッド１の上方又は下方に設ける軟質基材３は、複数の柱状の軟質基材３５に設計することができる。
【００１７】
図２６〜図２８に示すように、本考案の熱エネルギー消費靴を実施時、上靴パッド１の上方又は下方に設ける軟質基材３は、複数の交換可能な独立柱状軟質基材３６に設計し、上靴パッド１の下面上及び下靴パッド２の上面上に複数の凹溝１１，２１を設け、複数の独立柱状軟質基材３６を定位させることができる。
【符号の説明】
【００１８】
１  上靴パッド
１１  凹溝
２  下靴パッド
２１  凹溝
３  軟質基材
３１  前軟質基材
３２  後軟質基材
３３  ブロック状軟質基材
３４  ストリップ状軟質基材
３５  柱状軟質基材
３６  独立柱状軟質基材
【図１】
0003168479.tif 000003
【図２】
0003168479.tif 000004
【図３】
0003168479.tif 000005
【図４】
0003168479.tif 000006
【図５】
0003168479.tif 000007
【図６】
0003168479.tif 000008
【図７】
0003168479.tif 000009
【図８】
0003168479.tif 000010
【図９】
0003168479.tif 000011
【図１０】
0003168479.tif 000012
【図１１】
0003168479.tif 000013
【図１２】
0003168479.tif 000014
【図１３】
0003168479.tif 000015
【図１４】
0003168479.tif 000016
【図１５】
0003168479.tif 000017
【図１６】
0003168479.tif 000018
【図１７】
0003168479.tif 000019
【図１８】
0003168479.tif 000020
【図１９】
0003168479.tif 000021
【図２０】
0003168479.tif 000022
【図２１】
0003168479.tif 000023
【図２２】
0003168479.tif 000024
【図２３】
0003168479.tif 000025
【図２４】
0003168479.tif 000026
【図２５】
0003168479.tif 000027
【図２６】
0003168479.tif 000028
【図２７】
0003168479.tif 000029
【図２８】
0003168479.tif 000030
【手続補正書】
【提出日】平成23年3月31日(2011.3.31)
【手続補正１】
【補正対象書類名】実用新案登録請求の範囲
【補正対象項目名】請求項１
【補正方法】変更
【補正の内容】
【請求項１】
各式サンダル、ビーチサンダル、スリッパ又は一般の靴に使用を提供し、
その構造は、上靴パッド１上方又は下方に軟質基材３を設け、組合せ体を作成し、
当該組合せ体の下方に、下靴パッド２を結合し、
下靴パッド２の結合時に該靴の着用者に非平衡感を持たせ、身体のバランス機能を活動させ、エネルギー量消費を増加し、身体の減量の目的を達成する熱エネルギー消費靴パッド。